(57)【要約】【課題】静電吸着ベルトでシートを吸着搬送する装置において、給電するブラシと除電するブラシを一体化し、容易に装置から外せるようにしたことにより、ユーザー交換を可能とするとともに交換の際のブラシの毛の部分も痛めないことを目的とする。【解決手段】上記課題を解決するために、本発明にかかるシート搬送装置および画像記録装置の代表的な構成は、記録媒体を搬送する搬送ベルト２１と、前記記録媒体を前記搬送ベルト２１に静電吸着させるための吸着手段６と、前記吸着手段６に給電するための導電性繊維にて形成した給電ブラシ７と、を有するシート搬送装置において、前記給電ブラシ７と除電ブラシ８をケース部材（一体型ブラシケース）５３で固定し一体化させ、部材の一部に給電を受ける為の接触部、アースに落とす為の接触部をそれぞれ一つ以上設けたことを特徴とする。【選択図】        図６
2004168500.tif 000002
【特許請求の範囲】
【請求項１】
記録媒体を搬送する搬送ベルトと、前記記録媒体を前記搬送ベルトに静電吸着させるための吸着手段と、前記吸着手段に給電するための導電性繊維にて形成した給電ブラシと、前記記録媒体を分離する為に前記搬送ベルトに給電された電荷を除電する導電性繊維にて形成した除電ブラシとを有するシート搬送装置において、
前記給電ブラシと除電ブラシをケース部材で固定し一体化させ、一部に給電を取る為の接触部、アースに落とす為の接触部をそれぞれ一つ以上設け、前記シート搬送装置側にはそれに対応する給電部と除電部を設けた事を特徴とするシート搬送装置。
【請求項２】
前記吸着手段とは、複数の極性の異なる電極を交互に配列して構成したことを特徴とする請求項１記載のシート搬送装置。
【請求項３】
請求項１又は２記載のシート搬送装置と、前記記録媒体に画像を記録する記録手段とを有することを特徴とする画像記録装置。
【発明の詳細な説明】
【０００１】
【発明の属する技術分野】
本発明はシート搬送装置および画像記録装置に関するものであって、特に、記録媒体に画像を記録する画像記録装置において、記録媒体を静電吸着して搬送し記録した後に分離するシート搬送装置に関し、吸着手段に対する給電装置と、前記記録媒体を分離する為に前記搬送ベルトに給電された電荷を除電する除電装置に関するものである。
【０００２】
【従来の技術】
画像記録装置のうち特にインクジェット記録装置は、記録ヘッドから記録媒体であるシートにインクを吐出して記録を行うものであり、記録ヘッドのコンパクト化が容易であり、高精細な画像を高速で記録することができ、ランニングコストが安く、ノンインパクト方式であるため騒音が少なく、しかも多色のインクを使用してカラー画像を記録するのが容易であるなどの利点を有している。なかでもシートの幅方向に多数の吐出口を配列したラインタイプの記録ヘッドを使用したフルラインタイプの装置は、一層の記録の高速化が可能である。
【０００３】
このようなフルラインタイプの装置においては、最も上流側位置の記録ヘッドから最も下流側位置の記録ヘッドまでの距離が長くなってしまうため、ベルト状の搬送装置を使用して、搬送しながら記録を行う。しかし記録領域においてシートの浮き上がりが発生すると、記録画像が乱れ、ジャムなどの原因にもなり得るため、シートが浮き上がらないよう下方へ付勢する必要がある。
【０００４】
そこで図２２に示すように、搬送ベルト２１からシートＰの浮き上がりを防止するために、吸着手段１０１を搬送装置に設けていた。図において記録部に給送されたシートＰは、吸着手段１０１によって搬送ベルト２１に吸着された状態で搬送されつつ、記録ヘッド３１により画像が記録される。
【０００５】
吸着手段１０１は導電部材からなる電極板１０５、１０６から構成され、搬送ベルト２１の幅方向と平行に櫛歯状に複数配置されている。電極板１０５、１０６の端子１０５ａ、１０６ａに接触して電力を供給する給電ブラシ７は、図２１に示すように記録ヘッド３１の両側に配置され、図２０に示すように一定の食い込み量ａを持ってビスなどにより固定支持されている。この給電ブラシ７が端子１０５ａ、１０６ａに摺擦して給電することにより、電極板１０５、１０６に静電気力を発生させ、シートＰの吸着搬送を行っている。
【０００６】
記録ヘッド３１により画像を記録されたシートＰは除電ブラシ８により電極板１０５、１０６の電荷が除電され吸着力が無くなり分離可能となり更にローラの曲率で記録媒体は完全に分離し排紙される。
【０００７】
【発明が解決しようとする課題】
従来の給電ブラシ７と除電ブラシ８は図２２に示すように別々の形態で本体に取り付けられ、給電ブラシ７は、給電用導電性繊維束４１と給電用ブラシホルダー４２とからなり給電用ブラシケースにビスで固定された後、給電ブラシ取り付け板４８で本体に取り付けられていた。
【０００８】
高圧の供給は給電ブラシ７の端部から高圧用電線と給電コネクター５０を介し本体の高圧電源に繋がれていた。除電ブラシ８は同様に除電用導電性繊維束と除電用ブラシホルダーからなり除電用ブラシケース４６にビスで固定された後、除電ブラシ取り付け板４９で本体に取り付けられていた。
【０００９】
アースは除電用ブラシホルダーに取り付けられた電線を介して除電端子５１で本体のグランドに落ちるようになっていた。しかし各々交換する際、給電ブラシ７は本体に取り付けられた給電ブラシ取り付け板４８を外した後高圧電源とコネクトされている給電コネクター５０を外しそれから給電用ブラシケースから給電ブラシを外して新しい給電ブラシに交換していた。除電ブラシ８も本体に取り付けられた除電ブラシ取り付け板４９を外しアースに落ちている除電端子５１を外し、更に除電ブラシケース４６から除電ブラシ８を外し交換していたので交換にかなりの時間を要し時間的な無駄が多く一般ユーザーに交換させるには簡単に出来ず無理があった。又ブラシ交換の際、給電ブラシ７と除電ブラシ８の毛の部分を傷めることがあった。
【００１０】
そこで本発明は、図６に示すように異なる機能の給電ブラシ７と除電ブラシ８を一体型ブラシケース５３で固定し一体化させ一体型ブラシ５２とし、部材の一部に給電を受ける為の接触部、アースに落とす為の接触部をそれぞれ一つ以上設けたことにより、図２２に示すように各々ビスを外し、高圧ケーブルのコネクターを外して交換していた給電ブラシ７、除電ブラシ８をワンタッチで一度に全体を交換可能とするシート搬送装置、およびこれを用いた画像記録装置を提供することを目的としている。
【００１１】
【課題を解決するための手段】
上記課題を解決するために、本発明にかかるシート搬送装置および画像記録装置の代表的な構成は、記録媒体を搬送する搬送ベルトと、前記記録媒体を前記搬送ベルトに静電吸着させるための吸着手段と、前記吸着手段に給電するための導電性繊維にて形成した給電ブラシ７と、を有するシート搬送装置において、前記給電ブラシ７と除電ブラシ８をケース部材で固定し一体化させ、部材の一部に給電を受ける為の接触部、アースに落とす為の接触部をそれぞれ一つ以上設けたことを特徴とする。
【００１２】
上記構成を改めて以下（１）〜（３）に整理して示す。
【００１３】
（１）記録媒体を搬送する搬送ベルトと、前記記録媒体を前記搬送ベルトに静電吸着させるための吸着手段と、前記吸着手段に給電するための導電性繊維にて形成した給電ブラシと、前記記録媒体を分離する為に前記搬送ベルトに給電された電荷を除電する導電性繊維にて形成した除電ブラシとを有するシート搬送装置において、
前記給電ブラシと除電ブラシをケース部材で固定し一体化させ、一部に給電を取る為の接触部、アースに落とす為の接触部をそれぞれ一つ以上設け、前記シート搬送装置側にはそれに対応する給電部と除電部を設けた事を特徴とするシート搬送装置。
【００１４】
（２）前記吸着手段とは、複数の極性の異なる電極を交互に配列して構成したことを特徴とする上記（１）記載のシート搬送装置。
【００１５】
（３）上記（１）又は（２）記載のシート搬送装置と、前記記録媒体に画像を記録する記録手段とを有することを特徴とする画像記録装置。
【００１６】
【発明の実施の形態】
本発明に係るシート搬送装置及び画像記録装置の実施形態について説明する。図１は本実施形態に係るインクジェット記録装置の構成図、図２は本発明に係るシート搬送装置の構成図である。
【００１７】
図１に示すように、本実施形態に係るインクジェット記録装置１は給送部２、搬送部３、記録部４、排出部５、吸着手段６及び給電ブラシ７、除電ブラシ８から構成される。以下それぞれについて説明する。
【００１８】
（給送部）
給送部２は記録媒体であるシートＰを積載する圧板１０と、シートＰを給送するピックアップローラ１１、シートＰを一枚ずつ分離するための分離爪１２、圧板１０とピックアップローラ１１の当接を解除する図示しないリリースカムがベース９に取り付けられている。圧板１０はベース９に結合された軸を中心に揺動可能となっており、圧板バネ１３によってピックアップローラ１１に付勢されている。圧板１０のピックアップローラ１１と対向する部位にはシートＰの重送を防止する人工皮革などの摩擦係数の大きい材質からなる分離パット１４が設けられている。
【００１９】
上記構成において、待機状態ではリリースカムが圧板１０を所定位置まで押し下げており、圧板１０とピックアップローラ１１の当接は解除されている。この状態で駆動ローラ２２の有する駆動力がギア等によりピックアップローラ１１及びリリースカムに伝達されると、リリースカムが圧板１０から離れて圧板１０は上昇し、ピックアップローラ１１とシートＰが当接する。
【００２０】
そしてピックアップローラ１１の回転に伴ってシートＰはピックアップされ、分離爪１２によって一枚ずつ分離されて搬送部３に送られる。ピックアップローラ１１はシートＰを搬送部３に送り込むまで回転し、再びシートＰとピックアップローラ１１との当接を解除した待機状態となって、駆動ローラ２２からの駆動力が切られる。
【００２１】
また手差給送用のピックアップローラ１５を用いる場合には、まずシートＰを手差トレイ１６上に設置する。そしてこれを記録開始信号に従ってピックアップローラ１５にて給送した後、搬送部３へ搬送する。
【００２２】
（搬送部）
搬送部３はシートＰをガイドする上ガイド１７及び下ガイド１８と、シートＰを記録部４へ導くピンチローラ２０と、シートＰを吸着した状態で搬送するシート搬送装置とから構成されている。シート搬送装置は、後述する吸着手段６（図３参照）を有する搬送ベルト２１と、搬送ベルト２１を巻架する駆動ローラ２２、従動ローラ２３、テンションローラ２４、プラテン２５、シート押さえローラ２７を有している。
【００２３】
ピンチローラ２０は図示しないバネによって、搬送ベルト２１を介して従動ローラ２３に圧接されている。駆動ローラ２２及び従動ローラ２３はプラテン２５に回動可能に取り付けられ、駆動ローラ２２には図２に示すようにシート送りモータ３０が接続されて駆動力が伝達される。テンションローラ２４は一端がプラテン２５に揺動可能に取り付けられたテンションアーム２８の他端に回動自在に設けており、テンションアーム２８がテンションバネ２９によって付勢されることで搬送ベルト２１に張力を架している。
【００２４】
図２に示すように、シート押さえローラ２７はローラ支持部材２６に回動自在に取り付けられている。ローラ支持部材２６はピンチローラ２０の回転軸を回転中心として取り付けられており、図示しない付勢手段により搬送ベルト２１側に付勢されている。これによりシート押さえローラ２７は搬送ベルト２１に付勢され、搬送されるシートＰを吸着手段６の作用する領域内において搬送ベルト２１側に押さえつけている。
【００２５】
上記構成において、搬送部３に送られたシートＰは、上ガイド１７及び下ガイド１８に案内されて、従動ローラ２３とピンチローラ２０のニップに送られる。このとき搬送されてきたシートＰの先端をシートセンサレバー１９で検知して、シートＰの記録位置を決定する。従動ローラ２３及びピンチローラ２０に挟持されたシートＰは、シート押さえローラ２７によって搬送ベルト２１に押圧され、吸着手段６により搬送ベルト２１の平面部に吸着されつつ搬送されて、記録部４へと導かれる。そしてシート送りモータ３０によって駆動ローラ２２を介して搬送ベルト２１が回転することで、シートＰは画像を記録されながら矢印ａ方向へ搬送される。
【００２６】
なお、温度及び湿度等の環境の変化により、シートＰの端部が波打ち（コックリング）やカールが発生した状態の場合であっても、シート押さえローラ２７によってシートＰを搬送ベルト２１側に押し付けることにより、これらを取り除いた状態として搬送することができるため、記録部４において安定した記録を行うことができる。
【００２７】
（記録部）
本実施形態において記録部４はフルラインタイプのインクジェット方式を採用しており、イエロー、マゼンタ、シアン、ブラックの各色の記録ヘッド３１Ｙ、３１Ｍ、３１Ｃ、３１Ｋが記録ヘッドホルダ３２に取り付けられている。各記録ヘッド３１はシートＰの搬送方向と直交する方向にノズルが配列され、シート搬送方向に所定間隔で配置されている。記録ヘッドホルダ３２は一端が軸３３によって回動可能に固定され、他端に形成されたホルダ突出部３４とホルダガイドレール３５とが係合することにより、記録ヘッド３１のノズル面とシートＰとの距離が規定されるように構成されている。
【００２８】
記録ヘッド３１は図示しないヒータ等からの熱エネルギーによってインクに膜沸騰を生じさせ、気泡の成長及び収縮により、インクをノズルから吐出してシートＰ上に画像を記録する。吸着手段６によって搬送ベルト２１に吸着されつつ記録部４によって画像を記録されたシートＰは、搬送ベルト２１から分離されて排出部５へと送られる。搬送ベルト２１は画像記録後に記録されたシートＰを分離する為に除電ブラシ８によって除電され、クリーニングローラ４７で清掃される。
【００２９】
（排出部）
排出部５は排出ローラ３６と拍車３７によって構成され、排出ローラ３６は図示しない伝達手段によって搬送ローラ２２の回転力によって駆動される。なお拍車３７は記録直後の記録面を搬送するため、記録された画像のインクがなるべく転移しないように先端をとがらせた形状となっている。記録部４で記録されたシートＰは、排出ローラ３６と拍車３７とに挟持搬送され、機外の排出トレイ３８に排出、積載される。
【００３０】
（吸着手段）
次に、吸着手段６について説明する。図３は搬送ベルトの平面図、図４は図３における搬送ベルトの吸着手段のａ−ａ断面図、図５は図３における搬送ベルトの吸着手段のｂ−ｂ断面図である。
【００３１】
吸着手段６は、図３に示すように搬送ベルト２１の内部に設置されており、シートＰを吸着する作用を有している。吸着手段６は導電部材からなる電極板３９、４０より構成され、搬送ベルト幅方向と平行に櫛歯状に複数設置されている。
【００３２】
図４に示すように、吸着力発生領域においては電極板３９、４０がベース層２１ａと表面層２１ｂとで挟まれた形で保護されている。ベース層２１ａ及び表面層２１ｂは約０．１ｍｍ〜０．２ｍｍ位の厚みのポリイミド、ＰＶＤＦ等の合成樹脂から形成されている。
【００３３】
電極板３９、４０は図５に示すようにベルト幅方向端部を露出させ、給電部である端子３９ａ、４０ａとしている。該端子３９ａ、４０ａは搬送方向に電極板３９、４０の幅よりも広く形成し、給電しやすいように構成されている。一方の電極板３９には給電ブラシ７より図示しない高圧電源から約−１０ＫＶ〜−０．５ＫＶの高電圧を印加させ、他方の電極板４０には同様に給電ブラシ７を介して図示しない高圧電源から逆極性の約０．５ＫＶ〜１０ＫＶの高電圧を印加させる。
【００３４】
電極板３９、４０に電圧が与えられると、図４に示すように電界が矢印の方向に発生し、電気力線が形成される。そして電極板３９と電極板４０との間の電位差によって搬送ベルト２１の上方位置に吸着力が発生する。シートＰの記録面上には、電極板３９、４０それぞれに与えられた電圧と同極性の電荷（表面電位）が発生する。シートＰの吸着力としては電極板３９と電極板４０との間の導電部材がない部分が最も低い領域となる。
【００３５】
シートＰにインクが多量に吐出された場合には、シートＰが膨潤し、コックリングが発生する。この場合において、シートＰのコックリングが上述の吸着力の最も低い領域である電極板３９と電極板４０との間の導電部材が無い部分で発生することとなり、シートＰの記録ヘッド３１側への浮きを最小限に押さえることができ、安定した記録を行うことができる。
【００３６】
（給電ブラシ）
次に、給電ブラシ７について説明する。従来の給電ブラシ７は図１２、図１３、図１４、図１５に示すように、給電用導電性繊維束４１と給電用ブラシホルダー４２からなり給電用ブラシケース４３にビスで固定された後、給電ブラシ取り付け板４８で本体に取り付けられていた。高圧の供給は給電ブラシ７の端部から高圧用電線と給電コネクター５０を介し本体の高圧電源に繋がれていた。
【００３７】
（除電ブラシ）
除電ブラシ８についても給電ブラシ７と同様で図１６、図１７、図１８、図１９に示すように、除電用導電性繊維束４４と除電用ブラシホルダー４５からなり除電用ブラシケース４６にビスで固定された後、除電ブラシ取り付け板４９で本体に取り付けられていた。
【００３８】
アースは除電用ブラシホルダー４５に取り付けられた電線を介して除電端子５１で本体のグランドに落ちるようになっていた。
【００３９】
しかし各々交換する際、給電ブラシ７は本体に取り付けられた給電ブラシ取り付け板４８を外した後高圧電源とコネクトされている給電コネクター５０を外しそれから給電用ブラシケース４３から給電ブラシ７を外して新しい給電ブラシに交換していた。除電ブラシ８も本体に取り付けられた除電ブラシ取り付け板４９を外しアースに落ちている除電端子５１を外し、更に除電ブラシケース４６から除電ブラシ８を外し交換していたので交換にかなりの時間を要し時間的な無駄が多く一般ユーザーに交換させるには簡単に出来ず無理があった。又ブラシ交換の際、給電ブラシ７と除電ブラシ８の毛の部分を傷めることがあった。
【００４０】
図６は給電ブラシ７と除電ブラシ８を一体型ブラシケース５３で固定した一体型ブラシ５２と、一体型ブラシ５２を受け入れる一体型ブラシガイド部材６３を表した図である。
【００４１】
一体型ブラシ５２には給電を受ける為の給電端子接触部５７、アースに落とす為の除電端子接触部５９をそれぞれ一つ以上設けている。
【００４２】
一方、一体型ブラシガイド部材６３にはリーク保護の為の給電端子保護部材（１）５４と給電端子保護部材（２）５５に保護された給電端子５６とアースを取るための除電端子５８が取り付けられていると共に一体型ブラシ５２が一体型ブラシガイド部材６３のブラシガイド部６４にスライドして取り付けられる構造となっている。
【００４３】
スライドして挿入される事により給電端子接触部５７には給電端子５６が接触し、除電端子接触部５９には除電端子５８が接触して給電とアースを取る事が出来る。
【００４４】
このように従来図の図２２に示すように各々のビスを外し、高圧ケーブルのコネクターを外して交換していた給電ブラシ７、除電ブラシ８をワンタッチで一度に全体を交換可能とする事が出来る。
【００４５】
図７は一体型ブラシ５２と本体に取り付けられた一体型ブラシガイド部材６３の給電端子接触部５７を搬送方向から見た断面図であり一体型ブラシガイド部材６３のガイド部６４を示している。
【００４６】
図８は一体型ブラシ５２を上から見た平面図で一体型ブラシ５２の一部に給電を受ける為の給電端子接触部５７、アースに落とす為の除電端子接触部５９と一体型ブラシ把手部６０を示している図である。
【００４７】
図９は一体型ブラシ５２を横から見た正面図を断面にした図であり各々の給電ブラシ７と除電ブラシ８を示している図である。
【００４８】
図１０は一体型ブラシ５２を下から見た下面図である。
【００４９】
図１１は一体型ブラシ５２を左側面から見た左側面図を断面にした図である。
【００５０】
図２３は本発明のシート搬送装置の構成図であり一体型ブラシ５２が一体型ブラシガイド部材６３に装着されている。高圧の給電は本体の高圧電源から出ている高圧電線の高圧端子（図示されず）が一体型ブラシガイド部材６３に取り付けられている給電端子５６に差し込まれる事により可能となる。
【００５１】
除電は本体のアースにつながった一体型ブラシガイド部材６３に除電端子５８が取り付けられている事でアースをとることが出来る。
【００５２】
【発明の効果】
上記説明した如く、本発明にかかるシート搬送装置及び画像記録装置において、図６に示すように異なる機能の給電ブラシ７と除電ブラシ８を一体型ブラシケース５３で固定し一体化させ、部材の一部に給電を受ける為の接触部、アースに落とす為の接触部をそれぞれ一つ以上設けたことにより、図２２に示すように従来各々ビスを外し、高圧ケーブルのコネクターを外して交換していた給電ブラシ、除電ブラシをワンタッチで一度に全体を交換可能とすることが出来る。又ブラシ交換の際、給電ブラシと除電ブラシの毛の部分を傷めることがない。
【図面の簡単な説明】
【図１】本発明に係るインクジェット記録装置の構成図
【図２】本発明に係るシート搬送装置の構成図
【図３】搬送ベルトの平面図
【図４】図３における搬送ベルトの吸着手段のａ−ａ断面図
【図５】図３における搬送ベルトの吸着手段のｂ−ｂ断面図
【図６】一体型ブラシ５２と、一体型ブラシ５２を受け入れる一体型ブラシガイド部材６３を表した図
【図７】一体型ブラシ５２と本体に取り付けられた一体型ブラシガイド部材６３の給電端子接触部を搬送方向から見た断面図
【図８】一体型ブラシ５２を上から見た平面図
【図９】一体型ブラシ５２を横から見た正面図を断面にした図
【図１０】は一体型ブラシ５２を下から見た下面図
【図１１】一体型ブラシ５２を左側面から見た左側面図を断面にした図
【図１２】従来の給電ブラシ７と給電用ブラシケース４３  を上から見た平面図
【図１３】従来の給電ブラシ７を横から見た正面図を断面にした図
【図１４】従来の給電ブラシ７を下から見た下面図
【図１５】従来の給電ブラシ７を左側面から見た左側面図を断面にした図
【図１６】従来の除電ブラシ８と除電用ブラシケース４６  を上から見た平面図
【図１７】従来の除電ブラシ８と除電用ブラシケース４６  を横から見た正面図を断面にした図
【図１８】従来の除電ブラシ８を下から見た下面図
【図１９】従来の除電ブラシ８を左側面から見た左側面図を断面にした図
【図２０】従来の給電ブラシでブラシ部分の食い込み量を示した図
【図２１】記録ヘッド３１の両側に配置された給電ブラシ７を示した図
【図２２】従来の搬送装置の構成図
【図２３】本発明のシート搬送装置の構成図
【符号の説明】
Ｐ  シート
１  インクジェット記録装置
２  給送部
３  搬送部
４  記録部
５  排出部
６  吸着手段
７  給電ブラシ
８  除電ブラシ
９  ベース
１０  圧板
１１  ピックアップローラ
１２  分離爪
１３  圧板バネ
１４  分離パット
１５  ピックアップローラ
１６  手差トレイ
１７  上ガイド
１８  下ガイド
１９  シートセンサレバー
２０  ピンチローラ
２１  搬送ベルト
２１ａ  ベース層
２１ｂ  表面層
２２  駆動ローラ
２３  従動ローラ
２４  テンションローラ
２５  プラテン
２６  ローラ支持部材
２７  シート押さえローラ
２８  テンションアーム
２９  テンションバネ
３０  シート送りモータ
３１  記録ヘッド
３２  記録ヘッドホルダ
３３  ホルダ支持軸
３４  ホルダ突出部
３５  ホルダガイドレール
３６  排出ローラ
３７  拍車
３８  排出トレイ
３９、４０  ベルト電極板
３９ａ、４０ａ  ベルト電極露出部
４１  給電用導電性繊維束
４２  給電用ブラシホルダー
４３  給電用ブラシケース
４４  除電用導電性繊維束
４５  除電用ブラシホルダー
４６  除電用ブラシケース
４７  クリーニングローラ
４８  給電ブラシ取り付け板
４９  除電ブラシ取り付け板
５０  給電コネクター
５１  除電端子
５２  一体型ブラシ
５３  一体型ブラシケース
５４  給電端子保護部材（１）
５５  給電端子保護部材（２）
５６  給電端子
５７  給電端子接触部
５８  除電端子
５９  除電端子接触部
６０  一体型ブラシ把手部
６１  給電、除電間仕切り部材
６２  ブラシ溶着部
６３  一体型ブラシガイド部材
６４  ブラシガイド部
１０１  吸着手段
１０５  電極板
１０５ａ  電極板端子
１０６  電極板
１０６ａ  電極板端子
【図１】
2004168500.tif 000003
【図２】
2004168500.tif 000004
【図３】
2004168500.tif 000005
【図４】
2004168500.tif 000006
【図５】
2004168500.tif 000007
【図６】
2004168500.tif 000008
【図７】
2004168500.tif 000009
【図８】
2004168500.tif 000010
【図９】
2004168500.tif 000011
【図１０】
2004168500.tif 000012
【図１１】
2004168500.tif 000013
【図１２】
2004168500.tif 000014
【図１３】
2004168500.tif 000015
【図１４】
2004168500.tif 000016
【図１５】
2004168500.tif 000017
【図１６】
2004168500.tif 000018
【図１７】
2004168500.tif 000019
【図１８】
2004168500.tif 000020
【図１９】
2004168500.tif 000021
【図２０】
2004168500.tif 000022
【図２１】
2004168500.tif 000023
【図２２】
2004168500.tif 000024
【図２３】
2004168500.tif 000025